【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
台風接近に関する情報をユーザに提供するための端末装置であって、
所定の台風に関する観測時刻、該観測時刻における台風の位置、進行速度、進行方向を含む台風情報を取得する台風情報取得手段と、
前記端末装置の現在位置を特定する現在位置特定手段と、
前記台風情報を基に、現在時刻における台風の現在位置を算出し、該台風の現在位置から前記端末装置の現在位置までの距離を算出する台風位置及び距離算出手段と、
前記算出された距離を基に表示情報を作成する表示情報制御手段と、
前記作成された表示情報を表示する表示手段と、を備えることを特徴とする端末装置。
【請求項２】
前記台風情報取得手段は、さらに防災情報及び交通情報を取得し、
前記表示情報制御手段は、前記表示情報として防災情報及び交通情報を付加して前記表示手段に表示する表示情報を作成することを特徴とする請求項１に記載の端末装置。
【請求項３】
広告情報を取得する広告情報取得手段をさらに備え、
前記表示情報制御手段は、前記表示情報として前記広告情報を付加して前記表示手段に表示する表示情報を作成することを特徴とする請求項１又は請求項２に記載の端末装置。
【請求項４】
前記端末装置は、前記台風の現在位置から前記端末装置の現在位置までの距離を、経時的に距離履歴情報として記憶する履歴情報記憶手段を備え、前記表示情報制御手段は、前記距離履歴情報を基に台風からの距離の変化を示すデータを作成することを特徴とする請求項１ないし請求項３の何れか１項に記載の端末装置。
【請求項５】
台風接近に関する情報をユーザに提供するための端末装置における情報提供方法であって、
所定の台風に関する観測時刻、該観測時刻における台風の位置、進行速度、進行方向を含む台風情報を取得し、
前記端末装置の現在位置を特定し、
前記台風情報を基に、現在時刻における台風の現在位置を算出し、該台風の現在位置から前記端末装置の現在位置までの距離を算出し、
前記算出された距離を基に表示情報を作成し、
前記作成された表示情報を表示手段に表示することを特徴とする情報提供方法。
【請求項６】
端末装置を含み、前記端末装置に台風接近に関する情報を表示する情報提供システムであって、
所定の台風に関する観測時刻、該観測時刻における台風の位置、進行速度、進行方向を含む台風情報を取得する台風情報取得手段と、
前記端末装置の現在位置を特定する現在位置特定手段と、
前記台風情報を基に、現在時刻における台風の現在位置を算出し、該台風の現在位置から前記端末装置の現在位置までの距離を算出する台風位置及び距離算出手段と、
前記算出された距離を基に表示情報を作成する表示情報制御手段と、
前記作成された表示情報を表示する表示手段と、を備えることを特徴とする情報提供システム。
【請求項７】
前記台風情報取得手段は、さらに防災情報及び交通情報を取得し、
前記表示情報制御手段は、前記表示情報として防災情報及び交通情報を付加して前記表
示手段に表示する表示情報を作成することを特徴とする請求項６に記載の情報提供システム。
【請求項８】
広告情報を取得する広告情報取得手段をさらに備え、
前記表示情報制御手段は、前記表示情報として前記広告情報を付加して前記表示手段に表示する表示情報を作成することを特徴とする請求項６又は請求項７に記載の情報提供システム。
【手続補正２】
【補正対象書類名】明細書
【補正対象項目名】０００７
【補正方法】変更
【補正の内容】
【０００７】
また、前述したように、台風の情報を提供する際に、気象庁以外の者が台風のように重大な災害の起こる恐れのある旨を警告して行う予報を発することができないことが法的に定められており、上記非特許文献１（気象業務法第２３条）は、「気象庁以外の者は、気象、地震動、火山現象、津波、高潮、波浪及び洪水の警報をしてはならない。」と定めている。
【手続補正３】
【補正対象書類名】明細書
【補正対象項目名】０００８
【補正方法】変更
【補正の内容】
【０００８】
気象庁などから発表される台風情報は、一定の時間前に観測された台風の規模、位置、進行方向、観測時刻から後の所定時間毎の予想位置などである。台風情報を入手した個人は、これらの情報から自分にとっての台風の影響を判断する。個人にとっての台風に関する関心事は、自分が現在時点で所在する位置に対して台風が接近しているのか、遠ざかっているのかであり、また、リアルタイムに自分の位置と台風との距離である。
【手続補正４】
【補正対象書類名】明細書
【補正対象項目名】００１１
【補正方法】変更
【補正の内容】
【００１１】
上記課題を解決するために、本発明の請求項１に係る発明は、
台風接近に関する情報をユーザに提供するための端末装置であって、
所定の台風に関する観測時刻、該観測時刻における台風の位置、進行速度、進行方向を含む台風情報を取得する台風情報取得手段と、
前記端末装置の現在位置を特定する現在位置特定手段と、
前記台風情報を基に、現在時刻における台風の現在位置を算出し、該台風の現在位置から前記端末装置の現在位置までの距離を算出する台風位置及び距離算出手段と、
前記算出された距離を基に表示情報を作成する表示情報制御手段と、
前記作成された表示情報を表示する表示手段と、を備えることを特徴とする。
【手続補正５】
【補正対象書類名】明細書
【補正対象項目名】００１３
【補正方法】変更
【補正の内容】
【００１３】
また、請求項３に係る発明は、請求項１又は請求項２に記載の端末装置に係り、
広告情報を取得する広告情報取得手段をさらに備え、
前記表示情報制御手段は、前記表示情報として前記広告情報を付加して前記表示手段に表示する表示情報を作成することを特徴とする。
【手続補正６】
【補正対象書類名】明細書
【補正対象項目名】００１６
【補正方法】変更
【補正の内容】
【００１６】
また、請求項６に係る発明は、
端末装置を含み、前記端末装置に台風接近に関する情報を表示する情報提供システムであって、
所定の台風に関する観測時刻、該観測時刻における台風の位置、進行速度、進行方向を含む台風情報を取得する台風情報取得手段と、
前記端末装置の現在位置を特定する現在位置特定手段と、
前記台風情報を基に、現在時刻における台風の現在位置を算出し、該台風の現在位置から前記端末装置の現在位置までの距離を算出する台風位置及び距離算出手段と、
前記算出された距離を基に表示情報を作成する表示情報制御手段と、
前記作成された表示情報を表示する表示手段と、を備えことを特徴とする。
【手続補正７】
【補正対象書類名】明細書
【補正対象項目名】００１７
【補正方法】変更
【補正の内容】
【００１７】
また、請求項７に係る発明は、請求項６に記載の情報提供システムに係り、
前記台風情報取得手段は、さらに防災情報及び交通情報を取得し、
前記表示情報制御手段は、前記表示情報として防災情報及び交通情報を付加して前記表
示手段に表示する表示情報を作成することを特徴とする。
【手続補正８】
【補正対象書類名】明細書
【補正対象項目名】００１８
【補正方法】変更
【補正の内容】
【００１８】
また、請求項８に係る発明は、請求項６又は請求項７の何れかに記載の情報提供システムに係り、
広告情報を取得する広告情報取得手段をさらに備え、
前記表示情報制御手段は、前記表示情報として前記広告情報を付加して前記表示手段に表示する表示情報を作成することを特徴とする。
【手続補正９】
【補正対象書類名】明細書
【補正対象項目名】００１９
【補正方法】削除
【補正の内容】
【手続補正１０】
【補正対象書類名】明細書
【補正対象項目名】００２２
【補正方法】変更
【補正の内容】
【００２２】
また、請求項３に記載の発明によれば、広告情報取得手段により取得した広告情報、例えば、防災用品の広告情報を表示するから、これによりユーザは端末装置の表示画面を見れば容易に台風の接近等の様子を把握することができ、また、広告情報、例えば、防災用品の広告情報を知ることができるから台風の接近に応じて必要な防災の備えをすることが可能となる。
【手続補正１１】
【補正対象書類名】明細書
【補正対象項目名】００２４
【補正方法】変更
【補正の内容】
【００２４】
また、請求項５に記載の発明によれば、請求項１ないし請求項４に記載の発明と同様の効果を奏する情報提供方法を提供できる。また、請求項６ないし請求項８に記載の発明によれば、請求項１ないし請求項３に記載の発明と同様の効果を奏する情報提供システムを提供できる。